(57)【要約】【課題】データそのもののセキュリティ性を高めるようにしたデータセキュリティフォームを提供する。【解決手段】データセキュリティフォーム１０は、第１及び第２の印字データ部１１、１２を備えている。第１及び第２の印字データ部１１、１２は、異なるプリンタで異なる色相に印字された印字データが形成されたものであって、例えば、第１の印字データ部１１は、ＮＩＰ印字により黒トナーで印字した部分であり、第２の印字データ部１１、１２は、ＩＪＰ印字により赤インキで印字した部分である。そして、第１及び第２の印字データ部１１、１２は、少なくとも印字データの一部が重なり合うように印字されている。つまり、第１又は第２の印字データ部１１、１２の内で、先に印字された第１の印字データ１１は、ユニークな情報を有する微小文字からなる下地模様状であり、この微小文字上に後に印字される第２の印字データ１２が設けられている。【選択図】        図１
2005014244.tif 000002
【特許請求の範囲】
【請求項１】
プリンタで印字された印字データが形成された第１及び第２の印字データ部を備え、
前記第１及び第２の印字データ部は、少なくとも印字データの一部が重なり合うように印字されたこと、
を特徴とするデータセキュリティフォーム。
【請求項２】
異なるプリンタで異なる色相に印字された印字データが形成された第１及び第２の印字データ部を備え、
前記第１及び第２の印字データ部は、少なくとも印字データの一部が重なり合うように印字されたこと、
を特徴とするデータセキュリティフォーム。
【請求項３】
請求項１又は請求項２に記載のデータセキュリティフォームにおいて、
前記第１又は第２の印字データ部の内で、先に印字された印字データは、ユニークな情報を有する微小文字からなる下地模様状であり、この微小文字上に後に印字される印字データが設けられていること、
を特徴とするデータセキュリティフォーム。
【請求項４】
請求項１から請求項３までのいずれか１項に記載のデータセキュリティフォームにおいて、
前記第１又は第２の印字データ部の内で、先に印字された印字データは、機械読取可能な識別文字及び／又は識別記号であること、
を特徴とするデータセキュリティフォーム。
【請求項５】
請求項１から請求項４までのいずれか１項に記載のデータセキュリティフォームにおいて、
前記第１及び第２の印字データ部は、それぞれが同一及び／又は関連性を有するデータであること、
を特徴とするデータセキュリティフォーム。
【請求項６】
請求項１から請求項５までのいずれか１項に記載のデータセキュリティフォームにおいて、
前記第１及び／又は第２の印字データ部は、氏名、会員番号、住所、電話番号、発行番号、金銭、日時に代表される本人又は伝票自体、伝票発行業務を特定するための識別に関連するデータが印字されること、
を特徴とするデータセキュリティフォーム。
【発明の詳細な説明】
【０００１】
【発明の属する技術分野】
本発明は、印字データにセキュリティ性を持たせたデータセキュリティフォームに関するものである。
【０００２】
【従来の技術】現在、ＮＩＰ用（フォーム用）上質紙にデータを印字した場合に、この印字データそのものの正確さは、元のデータにまで遡って確認しなければならず、現実的には、この印字データそのものをその場でチェックすることは困難である。
【０００３】
その結果、用紙そのものの絵柄の中に『コピー牽制用の模様』を埋め込んでみたり、又は、印字した用紙の一部にバーコードやＯＣＲ文字のようなマシンリーダブルな記号を設けておき、例えば、窓口でこの記号を読み取って検証するようにしていた。
【０００４】
前述したコピー牽制用の模様は、これまで、それなりの効果が認められてきたが、スキャナやコピー機の性能が向上するのに伴って、実質的な効果としては期待できなくなってきている。
【０００５】
一方、バーコードやＯＣＲ文字のような記号を印字データ面の一部に設ける方法においては、印字デザインの体裁が悪くなるという問題に加え、読み取る機械が存在しなければ使えない（特に、非常時等では使いにくい）、という決定的な問題があった。
【０００６】
そこで、ホログラムラベルを貼り込んだり（例えば、特許文献１）、又は、パールインキのような特殊印刷を施した用紙を使用するようなもの（例えば、特許文献２）も提案、実用化されてきている。
【特許文献１】
特開２０００−１９４２６５号公報
【特許文献２】
特開平９−１６９１６１号公報
【０００７】
【発明が解決しようとする課題】
しかし、これらは、確かに媒体としての偽造そのものは困難であるが、印字データ自体の変造（改ざん）に対しては、無防備な場合も少なからずあった。
つまり、ホログラムラベルの上に印字することはできず、また、印字した後でホログラムラベルを上から貼り込むことは、印字データが判読できなくなる（又は、判読しにくくなる）ことから、ホログラムラベルは、印字データとは重ならない位置に貼らなければならない。
【０００８】
また、パールインキの場合も同様であり、パールインキに限らず、インキ上は印字トナー（ＩＪであればＩＪインキ）の定着性が悪くなるため、印字部分に重ならない位置に配置しなければならない。
【０００９】
本発明の課題は、データそのもののセキュリティ性を高めるようにしたデータセキュリティフォームを提供することである。
【００１０】
【課題を解決するための手段】
前記課題を解決するために、請求項１の発明は、プリンタで印字された印字データが形成された第１及び第２の印字データ部を備え、前記第１及び第２の印字データ部は、少なくとも印字データの一部が重なり合うように印字されたこと、を特徴とするデータセキュリティフォームである。
請求項２の発明は、異なるプリンタで異なる色相に印字された印字データが形成された第１及び第２の印字データ部を備え、前記第１及び第２の印字データ部は、少なくとも印字データの一部が重なり合うように印字されたこと、を特徴とするデータセキュリティフォームである。
【００１１】
請求項３の発明は、請求項１又は請求項２に記載のデータセキュリティフォームにおいて、前記第１又は第２の印字データ部の内で、先に印字された印字データは、ユニークな情報を有する微小文字からなる下地模様状であり、この微小文字上に後に印字される印字データが設けられていること、を特徴とするデータセキュリティフォームである。
【００１２】
請求項４の発明は、請求項１から請求項３までのいずれか１項に記載のデータセキュリティフォームにおいて、前記第１又は第２の印字データ部の内で、先に印字された印字データは、機械読取可能な識別文字及び／又は識別記号であること、を特徴とするデータセキュリティフォームである。
【００１３】
請求項５の発明は、請求項１から請求項４までのいずれか１項に記載のデータセキュリティフォームにおいて、前記第１及び第２の印字データ部は、それぞれが同一及び／又は関連性を有するデータであること、を特徴とするデータセキュリティフォームである。
【００１４】
請求項６の発明は、請求項１から請求項５までのいずれか１項に記載のデータセキュリティフォームにおいて、前記第１及び／又は第２の印字データ部は、氏名、会員番号、住所、電話番号、発行番号、金銭、日時に代表される本人又は伝票自体、伝票発行業務を特定するための識別に関連するデータが印字されること、を特徴とするデータセキュリティフォームである。
【００１５】
【発明の実施の形態】
以下、図面等を参照して、本発明の実施の形態について、さらに詳しく説明する。
図１は、本発明によるデータセキュリティフォームの実施形態を示した図である。
本実施形態のデータセキュリティフォーム１０は、第１及び第２の印字データ部１１、１２を備えている。
第１及び第２の印字データ部１１、１２は、異なるプリンタで異なる色相に印字された印字データが形成されたものであって、例えば、第１の印字データ部１１は、ＮＩＰ（ノンインパクトプリンタ）印字により黒トナーで印字した部分であり、第２の印字データ部１２は、ＩＪＰ（インクジェットプリンタ）印字により赤インキで印字した部分である。
【００１６】
そして、第１及び第２の印字データ部１１、１２は、少なくとも印字データの一部が重なり合うように印字されている。具体的には、第１又は第２の印字データ部１１、１２の内で、先に印字された第１の印字データ１１は、ユニークな情報を有する微小文字からなる下地模様状（微小文字１２３，４５６，７８９の繰り返し）であり、この微小文字上に後に印字される第２の印字データ１２（大きい文字の￥１２３，４５６，７８９）が設けられている。
【００１７】
第１、第２の印字データ部１１、１２は、それぞれが同一又は関連性を有するデータであることが好ましい。ここでは、第１の印字データ１１の一部である下地模様の「１２３，４５６，７８９」の数字は、第２の印字データ１２である金額「￥１２３，４５６，７８９」と同一にしてある。
【００１８】
また、第１、第２の印字データ部１１、１２は、氏名、会員番号、住所、電話番号、発行番号、金銭、日時に代表される本人又は伝票自体、伝票発行業務を特定するための識別に関連するデータが印字されることが好ましい。ここでは、第１、第２の印字データ部１１、１２は、このフォーム１１（例えば、領収書）の金額である伝票発行業務を特定するための数字が用いられている。
【００１９】
次に、本実施形態によるデータセキュリティフォーム１０の製造方法とともに、細部の構成をさらに詳しく説明する。
用紙の一部に、ノンインパクト方式のプリンタ（６００ｄｐｉ）による黒色トナーで、ユニークな微小文字（１２３，４５６，７８９ＤＮＰ）を印字する。なお、印字する微小文字は、同じデータの繰り返し部分を含み、横縞模様となるように配置した。
【００２０】
次いで、水性インキを使用するインクジェット方式のプリンタ（２４０ｄｐｉ）による赤インキで、先に、黒色トナーで印字したデータと同じデータ（￥１２３，４５６，７８９）を印字した。
【００２１】
本実施形態によるデータセキュリティフォーム１０では、微小文字部分は、トナーで形成されており、その上から微小文字の有無を考慮せずに水性インキで通常の印字を行っているため、水性インキは、トナー上にも印字されている。
トナーには、水性インキを吸収することができないため、トナーと紙面の境界面近傍では、水性インキの印字が若干太る現象が認められる。
【００２２】
また、解像度の低いインクジェットプリンタであっても、トナー部分の印字は定着しないため、見掛け解像度が高くなる。
つまり、例えば、黒色の文字と、赤色の下地（黒色文字部を白抜きしたベタ）を、２４０ｄｐｉのＩＪプリンタで印字する（上記実施形態とは、異なる印字状況である）と、２４０ｄｐｉの解像度で形成されるが、黒色文字を６００ｄｐｉのトナーで形成し、このトナーに（少なくとも）一部がかかるように赤ＩＪインキを印字すると、赤インキも、黒色文字の解像度で形成されたように見えることになる。
【００２３】
さらに、水性インキが浸透する用紙を使用した場合、裏面から見たときに、トナーの有無によって、ＩＪ印字絵柄が特徴的な模様を形成する。トナーの有る部分は、水性インキの浸透がないためである。
以上の現象に基づき、印字データそのものの正確さが保証される。
【００２４】
トナーは、用紙に対して浸透しないため、盛り上がり（凸状）があり、ＩＪインキの場合は、用紙中に浸透していくため、基本的にトナーのように印字部が盛り上がることはない。つまり、この凸状の有無によってもデータの正確性が確保できる。
【００２５】
（変形形態）
以上説明した実施形態に限定されることなく、種々の変形や変更が可能であって、それらも本発明の均等の範囲内である。
（１）例えば、第１、第２の印字データ部１１、１２の内で、先に印字された印字データは、ＯＣＲ文字や、バーコードなどの機械読取可能な識別文字（又は識別記号）にしてもよい。
（２）第１の印字データ部１１は、ＮＩＰ印字により黒トナーで印字し、第２の印字データ部１２は、ＩＪＰ印字により赤インキで印字した例で説明したが、微小文字をＩＪＰ印字で印字し、その上からＮＩＰ印字でトナーを形成するものでも、また、微小文字（地紋）を後から印字するものでもよい。さらに、トナーもＩＪインキも、同じ黒色や赤色であっても、用紙上に再現された段階で、少しでも色相等が異なれば、それでもよい。
【００２６】
【発明の効果】
以上詳しく説明したように、本発明によれば、異なるプリンタで異なる色相に印字された印字データが少なくともが重なり合うように印字されるので、異なる印字方式に起因して、印字が若干太る現象、見掛け解像度が異なる現象、又は、インキの浸透により用紙に特徴的な模様が発生する現象などが現れ、印字データそのものの正確さが保証される、という効果がある。
【００２７】
また、本発明は、プリンタで印字された印字データが少なくともが重なり合うように印字されるので、下地（地紋）にユニークな情報を載せるということ自体に特徴があるから、同一色はおろか、同一トナー（同一プリンタ）で印字するものも本発明の範囲であり、少なくとも変造（例えば、数字の改ざん）防止性が高まる、という効果がある。
【図面の簡単な説明】
【図１】本発明によるデータセキュリティフォームの実施形態を示した図である。
【符号の説明】
１０  データセキュリティフォーム
１１  第１の印字データ部
１２  第２の印字データ部
【図１】
2005014244.tif 000003